(57)【要約】【課題】ゴルフクラブのグリップエンドを加工することなく、グリップエンドに固定するグリップエンドアダプタのシャフト中心軸回りの回転位置の位置決めができるようにすることを課題とする。【解決手段】グリップエンドアダプタＡの上面及び／又は側面に被係合部Ａ１を形成しておき、グリップエンドアダプタ位置決め具Xとして、前記グリップエンドアダプタＡの前記被係合部Ａ１と係合する係合部３０を本体部１０に設けるとともに、前記グリップエンドアダプタＡがグリップエンドにシャフト中心軸回りに回転可能に固定され、前記係合部３０と前記被係合部Ａ１とが係合した状態で、前記グリップのセンターマークと前記シャフト中心軸を含む平面上に合わせると、前記グリップエンドアダプタＡが所定の位置に位置づけられる基準部２０を本体部１０に固定する。【選択図】  図２
2011217863.tif 000002
【特許請求の範囲】
【請求項１】
グリップにセンターマークが設けられたゴルフクラブのグリップエンドに、固定されるグリップエンドアダプタを位置決めするための器具であって、以下の（１０１）〜（１０６）の要件を満たすグリップエンドアダプタ位置決め具。
（１０１）前記グリップエンドアダプタは前記グリップエンドに、前記ゴルフクラブのシャフト中心軸回りに回転可能に固定され得るものであって、シャフト中心軸回りの回転位置に関し特定位置に固定することが要求される。
（１０２）前記グリップエンドアダプタの上面及び／又は側面には被係合部が形成される。
（１０３）前記グリップエンドアダプタ位置決め具は、本体部と係合部と基準部を有する。
（１０４）前記本体部に固定される前記係合部は、前記グリップエンドアダプタの前記被係合部と係合する。
（１０５）前記グリップエンドアダプタが前記グリップエンドに前記シャフト軸回りに回転可能に固定された状態で前記係合部と前記被係合部とが係合すると、前記本体部は前記シャフト中心軸回り関して前記グリップエンドアダプタと一体に固定される。
（１０６）前記基準部は、前記グリップエンドアダプタが前記グリップエンドに前記シャフト中心軸回りに回転可能に固定され、前記係合部と前記被係合部とが係合した状態で、前記グリップのセンターマークと前記シャフト中心軸を含む平面上に位置づけると、前記グリップエンドアダプタが前記特定位置に位置づけられるよう前記本体部に固定される。
【請求項２】
前記基準部は前記グリップエンド側から見てセンターマーク位置に照準を合わせると、前記グリップのセンターマークと前記シャフト中心軸を含む平面上に合うように構成される照準器により構成される請求項１に記載のグリップエンドアダプタ位置決め具。
【請求項３】
前記基準部はレーザーポインタであって、前記レーザーポインタが示す光点の位置を前記センターマーク上又は前記センターマーク近傍の前記センターマークを通るシャフト軸に平行な線上に合わせると、前記グリップのセンターマークと前記シャフト中心軸を含む平面上に合うに構成される請求項１に記載のグリップエンドアダプタ位置決め具。
【請求項４】
請求項１から３のいずれか１項に記載のグリップエンドアダプタ位置決め具により位置決めされるグリップエンドアダプタであって、
底面にゴルフクラブのグリップエンド端部中央に形成される孔に係合固定できる係合突起を有し、
前記アダプタの上面及び／又は側面には前記グリップエンドアダプタ位置決め具の前記係合部に係合する被係合部が形成される
グリップエンドアダプタ。
【請求項５】
請求項１から３のいずれか１項に記載のグリップエンドアダプタ位置決め具と請求項４に記載のグリップエンドアダプタとから構成されるグリップエンド固定ユニット。
【発明の詳細な説明】
【技術分野】
【０００１】
本発明はゴルフクラブのグリップエンドに固定されるアダプタの位置決めを行うための器具に関する。
【背景技術】
【０００２】
ゴルフクラブのグリップエンドに、所定の機能を有するアダプタを固定することが種々提案されている。例えば、下記特許文献１には、グリップエンドに水準器を取り付けるとともに、フェース面が真っ直ぐになるようにグリップを持ったときの、水準器の気泡の位置を示す指示線を設け、練習に際して水準器の気泡が指示線上に位置づけるようにすることが示されている。また、下記特許文献２に記載の発明は、パターのグリップエンドにパターのライ角と同角度、かつ、パターフェースを上下に二分する水平線と平行に棒状のパッティングガイドを設け、これをパターフェースに一致させるようにして適切なパターフォームを習得できるようにすることが示されている。さらに、下記特許文献３には、パターのグリップエンドに照準器を設け、これによりパターのフェースの方向を定める発明が示されている。
【先行技術文献】
【特許文献】
【０００３】
【特許文献１】特開平５９−８０号公報
【特許文献２】特開２００８−２６４５２６号公報
【特許文献３】実開昭６１−８０７３号公報
【発明の概要】
【発明が解決しようとする課題】
【０００４】
このようなグリップエンドアダプタには、種々の機能を付与することが考えられるが、上記に例示したものは、クラブのシャフト中心軸回りの回転位置に関し特定位置に固定することが要求される。このように、シャフト中心軸回りの回転位置に関して特定の位置に固定する場合、従来は、予め製造工場などでグリップエンドに位置を合わせてグリップエンドアダプタを固定するという方法か、グリップエンドアダプタを着脱式とする場合には、グリップエンドの取り付け部分に予め方向を定める溝などを形成しておくという方法が採られていた。
しかし、このようにグリップエンドに加工が必要とされるような方法だと、手持ちのクラブを変えるたびにグリップエンドの加工が必要となり、極めて面倒であるとともに、高価なゴルフクラブのグリップエンドを加工することに対する心理的抵抗も大きい。
本発明は、以上のような観点から、ゴルフクラブのグリップエンドに、クラブのシャフト中心軸回りの回転位置に関し特定位置に固定することが要求されるグリップエンドアダプタを設ける場合に、ゴルフクラブのグリップエンドを加工することなく、グリップエンドアダプタのシャフト中心軸回りの回転位置の位置決めができるようにすることを課題とする。
【課題を解決するための手段】
【０００５】
上記課題を解決するために、本発明は次のような構成を有する。
請求項１に記載の発明は、グリップにセンターマークが設けられたゴルフクラブのグリップエンドに、固定されるグリップエンドアダプタを位置決めするための器具であって、以下の（１０１）〜（１０６）の要件を満たすグリップエンドアダプタ位置決め具である。
（１０１）前記グリップエンドアダプタは前記グリップエンドに、前記ゴルフクラブのシャフト中心軸回りに回転可能に固定され得るものであって、シャフト中心軸回りの回転位置に関し特定位置に固定することが要求される。
（１０２）前記グリップエンドアダプタの上面及び／又は側面には被係合部が形成される。
（１０３）前記グリップエンドアダプタ位置決め具は、本体部と係合部と基準部を有する。
（１０４）前記本体部に固定される前記係合部は、前記グリップエンドアダプタの前記被係合部と係合する。
（１０５）前記グリップエンドアダプタが前記グリップエンドに前記シャフト軸回りに回転可能に固定された状態で前記係合部と前記被係合部とが係合すると、前記本体部は前記シャフト中心軸回り関して前記グリップエンドアダプタと一体に固定される。
（１０６）前記基準部は、前記グリップエンドアダプタが前記グリップエンドに前記シャフト中心軸回りに回転可能に固定され、前記係合部と前記被係合部とが係合した状態で、前記グリップのセンターマークと前記シャフト中心軸を含む平面上に合わせると、前記グリップエンドアダプタが前記特定位置に位置づけられるよう前記本体部に固定される。
【０００６】
請求項２に記載の発明は、前記グリップエンドアダプタ位置決め具において、前記基準部は前記グリップエンド側から見てセンターマーク位置に照準を合わせると、前記グリップのセンターマークと前記シャフト中心軸を含む平面上に合うように構成される照準器により構成されるものである。
請求項３に記載の発明は、請求項１に記載のグリップエンドアダプタ位置決め具において、前記基準部はレーザーポインタであって、前記レーザーポインタが示す光点の位置を前記センターマーク上又は前記センターマーク近傍の前記センターマークを通るシャフト中心軸に平行な線上に合わせると、前記グリップのセンターマークと前記シャフト中心軸を含む平面上に合うように構成されるものである。
【０００７】
請求項４に記載の発明は、前記グリップエンドアダプタ位置決め具により位置決めされるグリップエンドアダプタであって、底面にゴルフクラブのグリップエンド端部中央に形成される孔に係合する係合突起を有し、前記アダプタの上面及び／又は側面には前記グリップエンドアダプタ位置決め具の前記係合部に係合固定できる被係合部が形成されるものである。
請求項５に記載の発明は、請求項１から３のいずれか１項に記載のグリップエンドアダプタ位置決め具と請求項４に記載のグリップエンドアダプタとから構成されるグリップエンド固定ユニットである。
【発明の効果】
【０００８】
以上のような構成により、本発明は次のような効果を奏する。
請求項１に記載の発明は、グリップエンドアダプタに係合させて、基準部を前記グリップのセンターマークと前記シャフト中心軸を含む平面上に合あわせるようにグリップエンドアダプタと一緒に回転させ、その後、グリップエンドアダプタから取り外すことで、グリップエンドアダプタをゴルフクラブのシャフト中心軸回りの回転位置に関し特定位置に固定することができる。このような動作により位置決めを行うので、本グリップエンドアダプタ位置決め具を用いれば、グリップエンドには特別な加工を行なうことを要せずにグリップエンドアダプタのグリップエンドにおける位置決めが可能となる。
請求項２に記載の発明は、基準部を照準器とすることで、比較的簡単な構造により基準部を構成することができる。
請求項３に記載の発明は、基準部をレーザーポインタとすることで、光点を合わせればよいので比較的簡単に基準部の位置合わせをすることができる。
【０００９】
請求項４に記載の発明は、ゴルフクラブのグリップエンド端部中央に形成される孔に係合する係合突起により、グリップエンドに回動可能に係合固定できるとともに、前記グリップエンドアダプタ位置決め具の係合部に係合する被係合部を有するので、前記グリップエンドアダプタによりゴルフクラブのシャフト中心軸回りの回転位置に関し特定位置に位置決めすることができる。
請求項５に記載の発明は、ゴルフクラブのグリップエンドを加工することなく、グリップエンドアダプタをグリップエンドアダプタ位置決め具によりゴルフクラブのシャフト中心軸回りの回転位置の特定位置に位置決めすることができる。
【図面の簡単な説明】
【００１０】
【図１】グリップエンドアダプタ位置決め具とグリップエンドアダプタとからなるグリップエンド固定ユニットをグリップエンドに固定した状態を示す斜視図である。
【図２】図１の分解斜視図である。
【図３】（ａ）はグリップエンドアダプタの平面図であり、（ｂ）はグリップエンドアダプタの正面図であり、（ｃ）はグリップエンドアダプタの底面図である。
【図４】（ａ）はグリップエンドアダプタ位置決め具の平面図であり、（ｂ）はグリップエンドアダプタ位置決め具の正面図であり、（ｃ）はグリップエンドアダプタ位置決め具の底面図であり、（ｄ）はグリップエンドアダプタ位置決め具の側面図である。
【図５】（ａ）は位置の調整前のグリップエンド側からグリップエンドアダプタ位置決め具の照準器越しにセンターマークを見た状態を示す図であり、（ｂ）は位置の調整完了後のグリップエンド側からグリップエンドアダプタ位置決め具の照準器越しにセンターマークを見た状態を示す図である。
【図６】位置決め後にグリップエンドアダプタ位置決め具を取り外した状態のグリップエンドに固定されたグリップエンドアダプタを示す斜視図である。
【図７】基準部としてレーザーポインタを装着したグリップエンドアダプタ位置決め具とグリップエンドアダプタとをグリップエンドに固定した状態を示す斜視図である。
【図８】（ａ）は変形例に係るグリップエンドアダプタ位置決め具の平面図であり、（ｂ）に変形例に係るグリップエンドアダプタ位置決め具の側面図を、（ｃ）に変形例に係るグリップエンドアダプタ位置決め具の底面図である。
【図９】基準部として指示針を装着したグリップエンドアダプタ位置決め具とグリップエンドアダプタとをグリップエンドに固定した状態を示す斜視図である。
【発明を実施するための形態】
【００１１】
以下、本発明の実施の形態について、図面を参照しながら説明する。
図１に本実施形態に係るグリップエンドアダプタ位置決め具ＸとグリップエンドアダプタＡとからなるグリップエンド固定ユニットUをゴルフクラブのグリップＧのグリップエンドに固定した状態を示す斜視図を示し、図２に図１の分解斜視図を示す。
グリップエンドアダプタＡは、機能として内部に加速度センサーと姿勢センサー及び通信装置が内蔵されており、ゴルフクラブの角度と動きを検知することができる。姿勢センサーと加速度センサーの基準座標はグリップエンドに特定の位置に取り付けられることを前提に設定されているので、グリップエンドアダプタＡはクラブのシャフト中心軸周りに関する回転位置を所定のものに調整する必要がある。
【００１２】
図３（ａ）にグリップエンドアダプタＡの平面図を、図３（ｂ）にグリップエンドアダプタＡの正面図を、図３（ｃ）にグリップエンドアダプタＡの底面図をそれぞれ示す。グリップエンドアダプタＡは上下面が封止された扁平な円筒状の本体内に上記の機能部品が内蔵され、上面の外周縁に４箇所、略四角柱上に切り欠かれた被係合凹部Ａ１が形成されている。また、上面の外周縁近傍の１箇所に、グリップエンドアダプタ位置決め具Ｘを係合する際の基準となる、指示マークＡ１１が描かれている。ここでは、この指示マークが、
前記グリップGのセンターマークＭと前記シャフト中心軸を含む平面上に位置すれば、グリップエンドアダプタＡがクラブのシャフト中心軸周りに関する想定される回転位置に位置づけられるようになっている。また、底面にはゴルフクラブのグリップエンド端部中央に設けられる貫通孔に係合し、固定できる先端側に係止するための膨らみが設けられた係合突起Ａ２が設けられる。これにより、グリップエンドアダプタＡは、グリップＧのグリップエンドにシャフト中心軸周りの回転のみ可能に固定される。なお、係合突起Ａ２はグリップエンドの穴に比較的きつく嵌合し、ある程度強い力を加えないとシャフト中心軸周りに回転しないように形成されている。なお、グリップエンドアダプタＡの機能は、ここでは、加速度センサーと姿勢センサーとによりクラブの物理的な姿勢や移動を検知するものを例示したが、シャフト中心軸周りの回転に関して特定の位置に固定することが要求される機能を有するものであればどのようなものでも適用可能である。
【００１３】
グリップエンドアダプタ位置決め具Ｘは、上記グリップエンドアダプタＡのシャフト中心軸周りの回動位置の位置決めを行うものである。図４（ａ）にグリップエンドアダプタ位置決め具Xの平面図を、図４（ｂ）にグリップエンドアダプタ位置決め具Xの正面図を、図４（ｃ）にグリップエンドアダプタ位置決め具Xの底面図を、図４（ｄ）にグリップエンドアダプタ位置決め具Xの側面図をそれぞれ示す。グリップエンドアダプタＸは扁平な円柱体からなる本体部１０と、本体部１０の側面に固定される照準器２０と、本体部１０の底面に設けられる。前記グリップエンドアダプタＡの被係合凹部Ａ１のそれぞれに係合する係合凸部３０とから構成される。照準器２０は、平面視等脚台形状体の厚い板体であり、上面中央に断面逆三角形状の溝２１が形成されている。この溝２１の底に形成されるエッジラインは、底面方向に向かって本体側に近づくように緩く傾斜している。
【００１４】
次に、以上のような構成を有する、グリップエンドアダプタ位置決め具ＸによるグリップエンドアダプタＡの位置決め方法について説明する。使用者はまず、グリップエンドアダプタＡの係合突起Ａ２を、グリップエンドの穴に嵌入し固定する。次に、グリップエンドアダプタＡの被係合凹部Ａ１に、グリップエンドアダプタ位置決め具Ｘの係合凸部３０を係合させる。この際、グリップエンドアダプタＡの指示マークＡ１１が示す方向に照準器２０が向くようにする。以上の操作により図１に示すような状態となる。この状態では、まだ、グリップエンドアダプタＡは、想定される位置には固定されていない。そこで、まず、使用者は、グリップＧに描かれているセンターマークＭの方向に、照準器２０が向くように、グリップエンドアダプタ位置決め具Ｘとこれに一体に固定されているグリップエンドアダプタＡを回転させる。この状態で、グリップエンド側から、照準器２０越しに、グリップＧのセンターマークＭを見ると図５（ａ）のようになる。この段階では通常、この図に示すように、視線を照準器２０の溝底のエッジラインに合わせると、視線がセンターマークＭには一致しない。そこで、グリップエンドアダプタ位置決め具ＸをグリップエンドアダプタＡとともに回転させて、図５（ｂ）に示すように、視線上に照準器２０の溝底のエッジラインとセンターマークＭ並ぶように調節する。これにより、グリップエンドアダプタＡの回転位置は想定された位置に調整されることになるので、最後に、図６に示すようにグリップエンドアダプタ位置決め具Ｘを取り外して作業を完了する。
このように、グリップエンドアダプタ位置決め具Ｘは、位置決め後取り外すことができるので、グリップエンドアダプタＡに位置決めのための構造を設ける必要が無くなり、グリップエンドアダプタをより小型軽量にすることが可能である。また、グリップエンドアダプタに位置決めに対応する係合凹部があれば、異なる機能や形態を有するグリップエンドアダプタであっても、一つのグリップエンドアダプタ位置決め具Ｘにより位置決めを行うことができる。
【００１５】
（変形例）
上記実施形態では、位置の基準を合わせるための基準部として照準器を利用したが、他の仕組みを用いてもよい。図７に、基準部としてレーザーポインタを装着したグリップエンドアダプタ位置決め具ＹとグリップエンドアダプタＡとをゴルフクラブのグリップＧのグリップエンドに固定した状態を示す斜視図を示す。また、図８（ａ）にグリップエンドアダプタ位置決め具Ｙの平面図を、図８（ｂ）にグリップエンドアダプタ位置決め具Ｙの側面図を、図８（ｃ）にグリップエンドアダプタ位置決め具Ｙの底面図をそれぞれ示す。
グリップエンドアダプタ位置決め具Ｙの構造は、上述したグリップエンドアダプタ位置決め具Ｘの照準器２０をレーザーポインタ４０に置き換えたものである。レーザーポインタ４０は一般的なレーザーポインタと同じ仕組みであり、円筒体の筐体４１内にレーザーダイード、駆動回路、電源が内蔵され、先端に設けられたコリメートレンズ４２によりレーザダイオードの光を収束させるものである。また、筐体の後端にはレーザーのオンオフを行うプッシュスイッチ４３が設けられている。筐体４１は、グリップエンドアダプタ位置決め具Ｘの本体側面から平行に立設された支持干４４の間に回動可能に保持されている。これにより、図７に示すようにグリップエンドアダプタ位置決め具Ｙがグリップエンドに固定された状態において、レーザーポインタ４０から照射されるレーザーはシャフト中心軸を通る平面内で動くこととなる。なお、この保持はある程度の力を加えないと回動しない程度であり、手で動かすことで任意の回動位置に固定することができる。
【００１６】
このグリップエンドアダプタ位置決め具Ｙの使用方法は、前記グリップエンドアダプタ位置決め具Ｘとほぼ同様であるが、センターマークＭに対する位置決めにおいて、視線を合わせるのではなくレーザーポインタ４０から出力される光点をセンターマークＭに合わせることにより行う。即ち、レーザーポインタ４０の支持干４４に対する回転と、グリップエンドアダプタ位置決め具ＹとグリップエンドアダプタＡのグリップＧに対する回転を調節して、レーザーポインタ４０の示す光点をセンターマークＭ上に位置づけることで、グリップエンドアダプタＡを想定される回転位置に調整する。
【００１７】
位置の基準を合わせるための方法としては、この他に、レーザーポインタ４０が指し示す光点に変えて、図８に示すグリップエンドアダプタ位置決め具Ｚのように、シャフト中心軸に平行に延びる指示針５０を支持干４４に支持させ、指示針５０の先端位置をセンターマークＭ上に位置づけるようにする等、種々の変形が考えられる。
さらに、照準器を用いる場合であっても、照準器の形状は種々の変形が可能であり、スコープ型のものなどを採用することもできる。
また、グリップエンドアダプタとグリップエンドアダプタ位置決め具を互いに係合させある係合部と被係合部の形状も、互いにシャフト中心軸回りに関する方向に関して固定し合う形状であれば、どのようなものでも採用することができる。
【符号の説明】
【００１８】
Ｕ  グリップエンド固定ユニット
Ｘ、Ｙ、Ｚ  グリップエンドアダプタ位置決め具
Ａ  グリップエンドアダプタ
Ａ１  被係合凹部
Ａ２  係合突起
１０  本体部
２０  係合凸部
３０  照準器
３１  溝
４０  レーザーポインタ
５０  指示針
【図１】
2011217863.tif 000003
【図２】
2011217863.tif 000004
【図３】
2011217863.tif 000005
【図４】
2011217863.tif 000006
【図５】
2011217863.tif 000007
【図６】
2011217863.tif 000008
【図７】
2011217863.tif 000009
【図８】
2011217863.tif 000010
【図９】
2011217863.tif 000011